(57)【特許請求の範囲】
【請求項１】
１つ以上のネットワークを含む通信システムを介して、照明及び／又は環境制御システムを制御する制御デバイスであって、
前記照明及び／又は環境制御システムは、光を放出する１つ以上の照明デバイス及び／又は環境制御機能を提供する１つ以上の環境制御デバイスを含み、
前記制御デバイスは、
送信器それぞれが、前記通信システムの異なる対応するインターフェースを介して、前記照明及び／又は環境制御システムに送信する複数の送信器と、
複数の前記送信器それぞれを使用して、同じ制御コマンドのインスタンスを、複数の異なる経路それぞれを介して、前記照明及び／又は環境制御システムに送信するコントローラと、
を含み、
前記同じ制御コマンドの前記インスタンスそれぞれは、放出される前記光及び／又は前記環境制御機能を制御し、前記複数の異なる経路それぞれは、前記インターフェースのうちの異なる対応する１つのインターフェースを含み、
前記制御コマンドの各インスタンスは、前記照明及び／若しくは環境制御システムによって受信される場合並びに／又は実行される場合、前記照明及び／若しくは環境制御システムから前記制御デバイスに、フィードバックを引き起こし、
前記コントローラは、前記フィードバックに依存して、前記複数の異なる経路を比較し、前記比較に基づいて、放出される前記光及び／又は前記環境制御機能を制御するために、前記インターフェースのうちどれを使用して、前記照明及び／又は環境制御システムに後続の制御コマンドを送信するのかを選択する、制御デバイス。
【請求項２】
前記フィードバックは、前記制御コマンドが、前記照明及び／若しくは環境制御システムによって成功裏に受信された並びに／又は成功裏に実行されたことの確認を含み、前記比較は、前記確認が、各経路を介した送信に応えて、前記制御デバイスによって受信されたかどうかを比較することを含む、請求項１に記載の制御デバイス。
【請求項３】
前記フィードバックは、各経路を介した各メッセージの送信に関する情報を含み、前記比較は、前記各経路のうちの２つ以上の経路を介した前記各メッセージの送信に応えて受信された前記情報を比較することを含む、請求項１又は２に記載の制御デバイス。
【請求項４】
前記情報は、
各経路を介した各メッセージの送信のタイミングに関する情報、
各経路を介した各メッセージの送信が経験したエラー率に関する情報、及び／又は、
各メッセージが進んだ各経路をたどる情報、
のうちの１つ以上を含む、請求項３に記載の制御デバイス。
【請求項５】
前記コントローラは、前記メッセージの何れに応えてもフィードバックが受信されない場合に、タイムアウトする、請求項１乃至４の何れか一項に記載の制御デバイス。
【請求項６】
前記制御デバイスは、ユーザ端末であり、前記制御コマンドは、前記ユーザ端末のユーザインターフェースを介して入力されたユーザ入力に応えて、ユーザによってもたらされる、請求項１乃至５の何れか一項に記載の制御デバイス。
【請求項７】
前記コントローラは、前記タイムアウトの場合、ユーザに、手動フィードバックを求める、請求項５及び６に記載の制御デバイス。
【請求項８】
前記フィードバックに加えて、前記コントローラは、前記インターフェースのうちの１つ以上のインターフェースから、前記インターフェースのうちの１つ以上のインターフェースの利用可能性及び／若しくは前記インターフェースのうちの１つ以上のインターフェースの１つ以上の能力に関する追加情報を受信し、並びに／又は、前記照明及び／若しくは環境制御システムの１つ以上の能力に関する追加情報を受信し、
前記コントローラは、前記追加情報に更に依存して、前記インターフェースのうちのどれを使用して、前記照明及び／又は環境制御システムに後続の制御コマンドを送信するのかを選択する、請求項１乃至７の何れか一項に記載の制御デバイス。
【請求項９】
前記インターフェースそれぞれは、異なる対応するアクセス技術を使用する、請求項１乃至８の何れか一項に記載の制御デバイス。
【請求項１０】
前記複数の送信器それぞれは、ワイヤレス送信器であり、前記対応するインターフェースそれぞれは、ワイヤレスインターフェースである、請求項１乃至９の何れか一項に記載の制御デバイス。
【請求項１１】
１つ以上のネットワークを含む通信システムを介して、照明及び／又は環境制御システムを制御する方法であって、前記照明及び／又は環境制御システムは、光を放出する１つ以上の照明デバイス及び／又は環境制御機能を提供する１つ以上の環境制御デバイスを含み、
前記方法は、
複数の異なる経路それぞれを介して、前記照明及び／又は環境制御システムに、同じ制御コマンドのインスタンスを送信するステップと、
前記制御コマンドの前記インスタンスのうちの１つ以上によって生成されるフィードバックを受信するステップと、
前記フィードバックに依存して、前記複数の異なる経路を比較するステップと、
前記比較に基づいて、放出される前記光及び／又は前記環境機能を制御するために、前記インターフェースのうちのどれを使用して、前記照明及び／又は環境制御システムに後続の制御コマンドを送信するのかを選択するステップと、
を含み、
前記同じ制御コマンドの前記インスタンスそれぞれは、放出される前記光及び／又は前記環境制御機能を制御し、前記複数の異なる経路それぞれは、前記通信システムの異なる対応するインターフェースを含み、
前記制御コマンドの各インスタンスは、前記照明及び／若しくは環境制御システムによって受信される場合並びに／又は実行される場合、前記照明及び／若しくは環境制御システムから前記制御デバイスに、フィードバックを引き起こす、方法。
【請求項１２】
１つ以上のネットワークを含む通信システムを介して、照明及び／又は環境制御システムを制御するためのコンピュータプログラムであって、前記照明及び／又は環境制御システムは、光を放出する１つ以上の照明デバイス及び／又は環境制御機能を提供する１つ以上の環境制御デバイスを含み、
前記コンピュータプログラムは、１つ以上のコンピュータ可読記憶媒体上に具体化され、制御デバイス上で実行されると、
複数の異なる経路それぞれを介して、前記照明及び／又は環境制御システムに同じ制御コマンドのインスタンスを送信する動作と、
前記制御コマンドの前記インスタンスのうちの１つ以上によって生成されるフィードバックを受信する動作と、
前記フィードバックに依存して、前記複数の異なる経路を比較する動作と、
前記比較に基づいて、放出される前記光及び／又は前記環境機能を制御するために、前記インターフェースのうちのどれを使用して、前記照明及び／又は環境制御システムに後続の照明制御コマンドを送信するのかを選択する動作と、
を実行するコードを含み、
前記同じ制御コマンドの前記インスタンスそれぞれは、放出される前記光及び／又は前記環境制御機能を制御し、前記複数の異なる経路それぞれは、前記通信システムの異なる対応するインターフェースを含み、
前記制御コマンドの各インスタンスは、前記照明及び／若しくは環境制御システムによって受信される場合並びに／又は実行される場合、前記照明及び／若しくは環境制御システムから前記制御デバイスに、フィードバックを引き起こす、コンピュータプログラム。
【請求項１３】
請求項１乃至１０の何れか一項に記載の制御デバイスと、前記照明及び／又は環境制御システムと、を含む、システム。
【発明の詳細な説明】
【技術分野】
【０００１】
本開示は、１つ以上のネットワークを含む通信システムを介して照明システムを制御することに関連し、当該照明システムは、部屋又は他の環境を照らす１つ以上の照明器具といった１つ以上の照明デバイスを含む。
【背景技術】
【０００２】
大抵の環境には、当該環境を照らす１つ以上の照明器具の形の１つ以上の照明デバイスが提供され、通常、当該環境全体又は少なくともその一部を光で満たすことで、占有者が、当該環境において進むべき通路を見つける及び／又は当該環境内の物体を見ることができる。他のタイプの照明デバイスには、例えばライトショー又は舞台照明の一部として、例えば照明効果を提供する照明器具が含まれる。
【０００３】
従来では、光源は、ユーザが手動で光源スイッチを押すか又は調光器スイッチを回すことによって制御される。今日では、光源は、ユーザ端末といった別のデバイス、更には、スマートフォン、タブレット又はラップトップコンピュータといったモバイルユーザ端末を介して遠隔から制御されることも可能である。（例えばユーザ入力に反応して）これをするために、制御デバイスが、ネットワークを介して、照明システムの受信側制御ユニットに向けられた１つ以上の照明制御コマンドを送信する。これには、照明制御コマンドをネットワークのインターフェースに送信するために使用される制御デバイスの適切な送信器が関与する。当該インターフェースから、コマンドメッセージは、ネットワークを介して、目的地に向けられる。
【０００４】
例えば１つの可能性は、Ｗｉ−Ｆｉ（登録商標）を介して光源を制御することである。この場合、ネットワークは、少なくとも、Ｗｉ−Ｆｉ（登録商標）通信規格に従って動作するワイヤレスアクセスポイントの形のインターフェースを含み、制御デバイス（例えばユーザ端末）は、Ｗｉ−Ｆｉ（登録商標）を使用して、アクセスポイントに接続する対応する送信器を含む。そうすると、制御デバイスは、照明制御コマンドを、アクセスポイントへのこの接続を介して、照明システムに送信することができ、コマンドメッセージは、アクセスポイントから、照明システム自身のコントローラへと送信される。
【０００５】
別の例では、光源は、ジグビー（登録商標）の形の別の短距離ＲＦアクセス技術を介して制御される。この場合、従来のアクセスポイントは関与せず、例えば制御デバイス上の送信器が、任意の中間ノードを介することなく、照明システムの対応するジグビー（登録商標）インターフェースに直接（例えば特定の照明器具のローカルの制御ユニットに向けられる）１つ以上の制御コマンドを送信するように、ジグビー（登録商標）通信規格を使用する。或いは、コマンドメッセージは、ジグビー（登録商標）デバイスのメッシュにおける１つ以上の中間ノードを介して送信されてもよい。
【０００６】
接続された照明システムにおいて、実際には、当該システムを制御するために、複数のインターフェースが一度に存在する場合がある。一例として、照明システムは、（例えばルータを介して）Ｗｉ−Ｆｉ（登録商標）を介して、（例えばランプに向けられる）ジグビー（登録商標）を介して、又は、将来のシステムでは、ブルートゥース（登録商標）、ＲＦＩＤ等を使用して制御される。このようなシナリオでは、制御デバイス又はそのユーザは、どのインターフェースを使用するか決定しなければならない。しかし、更なるメカニズムが配置されなければ、この決定をする基になるものがほとんどないか又は全くない。例えばデバイスは、ユーザが設定メニュに行き、別のデフォルトを選択しない限り、デフォルトでＷｉ−Ｆｉ（登録商標）を自動的に使用するように設定されてよい。
【発明の概要】
【発明が解決しようとする課題】
【０００７】
ネットワークに接続された照明システムへの複数の経路を介して、当該照明システムを制御する可能性を提供する一方で、高速で、面倒なことがなく、使い勝手が良いやり方で照明を制御することを可能にすることが望ましい。例えば特定の部屋又は環境におけるユーザが、当該特定の部屋又は環境におけるネットワークに接続された照明システムを、高速で、面倒なことがなく、使い勝手が良い方法で制御することを可能にすることが望ましい。
【課題を解決するための手段】
【０００８】
本明細書に開示される一態様によれば、１つ以上のネットワークを含む通信システムを介して、照明システムを制御する制御デバイスが提供される。照明システムは、少なくとも１つの照明デバイスと、例えばスマートフォン、タブレット又はラップトップコンピュータであるモバイルユーザ端末といったユーザ端末の形を取る制御デバイスとを含む。制御デバイスは、どのような形を取ろうとも、それぞれ、通信システムの異なる対応するインターフェースを介して、照明システムに送信する複数の送信器を含む。実施形態では、各インターフェースは、異なる対応するアクセス技術を使用する。実施形態では、各送信器は、ワイヤレス送信器であり、各インターフェースは、ワイヤレスインターフェースである。例えばワイヤレスインターフェースのうちの幾つか又はすべてのそれぞれは、ローカルワイヤレスインターフェース（例えばＷｉ−Ｆｉ（登録商標）インターフェース、ジグビー（登録商標）インターフェース、ブルートゥース（登録商標）インターフェース、Ｚ−Ｗａｖｅインターフェース及び／又はＪｅｎＮｅｔ−ＩＰインターフェース）、モバイルセルラインターフェース（例えば３ＧＰＰインターフェース）又は近距離無線通信インターフェース（例えばＲＦＩＤインターフェース）のうちの異なる対応する１つを含む。
【０００９】
更に、制御デバイス（例えばユーザ端末）は、複数の送信器それぞれを使用して、各メッセージを、異なる対応する経路を介して、照明システムに送信するコントローラ（例えばコントローラアプリケーション）を含み、各経路は、インターフェースのうちの異なる対応する１つのインターフェースを含む（インターフェースのうちのその他のインターフェースは含まない）。各メッセージは、照明システムによって受信される場合及び／又は実行される場合、照明システムから制御デバイスに、フィードバックを引き起こし、コントローラは、フィードバックに依存して（例えばフィードバックによって提供される情報に依存して、又は、フィードバックが受信されたか否かに依存して）、経路を比較する。この比較に基づいて、コントローラは、照明システムを制御するために、インターフェースのうちどれを使用して、照明システムに後続の照明制御コマンドを送信するのかを選択する。
【００１０】
実施形態では、各メッセージ（即ち、フィードバックがそれに基づき得られるメッセージ）は、自分自身が、照明システムを制御する照明制御コマンドを含む。実施形態では、各メッセージは、同じ照明制御コマンドの対応するインスタンスを含む。
【００１１】
したがって、コマンドが、制御対象のデバイスへの様々なネットワーク経路を介して発射され、どの経路が所望の結果をもたらすかを検出するフィードバックシステムを有する、照明システム内の１つ以上の照明デバイスを制御する「発射（firing）」機構が提供される。したがって、特定の部屋等の中の照明システムを制御するための様々な経路が特定され、最も好都合な経路を導出することができる。
【００１２】
実施形態では、フィードバックは、照明制御コマンドが、照明システムによって成功裏に受信された及び／又は成功裏に実行されたことの確認を含む。この場合、比較は、確認が、各経路を介した送信に応えて、制御デバイスによって受信されたかどうかを比較することを含む。即ち、フィードバックに依存した比較の実行は、１つの経路についてフィードバックがないことを、別の経路に関連して、フィードバックが成功裏に受信された事実と比較することを含む。
【００１３】
代わりに又は更に、フィードバックは、各経路を介した各メッセージの送信に関連する情報を含んでよい。この場合、比較は、各経路のうちの２つ以上の経路を介した各メッセージの送信に応えて受信された情報を比較することを含む。例えば当該情報は、（ａ）各経路を介した各メッセージの送信のタイミングに関する情報、（ｂ）各経路を介した各メッセージの送信が経験したエラー率に関する情報、及び／又は、（ｃ）各メッセージが進んだ各経路をたどる情報、のうちの１つ以上を含む。
【００１４】
実施形態では、コントローラは、メッセージの何れに応えてもフィードバックが受信されない場合に、タイムアウトする。コントローラは、タイムアウトの場合、ユーザに、手動フィードバックを求めてよい。
【００１５】
制御デバイスがユーザ端末である場合、上記制御コマンドのうちの１つ、幾つか又はすべては、ユーザ端末のユーザインターフェースを介して入力されたユーザ入力に応えて、ユーザによってもたらされる。
【００１６】
実施形態では、コントローラは、フィードバックに加えて、インターフェースのうちの１つ以上のインターフェースから、インターフェースのうちの１つ以上のインターフェースの利用可能性及び／若しくはインターフェースのうちの１つ以上のインターフェースの１つ以上の能力に関する追加情報を受信する、並びに／又は、照明システムの１つ以上の能力に関する追加情報を受信する。
【００１７】
実施形態では、コントローラは、追加情報に更に依存して、インターフェースのうちのどれを使用して、照明システムに後続の照明制御コマンドを送信するのかを選択する。
【００１８】
代わりに又は更に、コントローラは、上記追加情報の何れかに依存して、経路を選択する（即ち、どの経路のフィードバックを得るかを選択する）。
【００１９】
代わりに又は更に、コントローラは、上記追加情報（例えばどのソフトウェアバージョン又はプロトコルバージョンを使用するか）の何れかに依存して、選択されたインターフェースに接続する態様を決定する。
【００２０】
代わりに又は更に、コントローラは、インターフェースのうちのどれが選択されたのかに依存して、ユーザインターフェースを適合させる。
【００２１】
代わりに又は更に、コントローラは、上記追加情報の何れかに依存して、ユーザインターフェースを適合させる。
【００２２】
本明細書に開示される別の態様によれば、１つ以上のネットワークを含む通信システムを介して、照明システムを制御する方法が提供される。照明システムは、少なくとも１つの照明デバイスを含む。当該方法は、複数の異なる経路それぞれを介して、照明システムに、各メッセージを送信するステップと、メッセージのうちの１つ以上によって生成されるフィードバックを受信するステップと、フィードバックに依存して、経路を比較するステップと、比較に基づいて、照明システムを制御するために、インターフェースのうちのどれを使用して、照明システムに後続の照明制御コマンドを送信するのかを選択するステップとを含み、各経路は、通信システムの異なる対応するインターフェースを含み、インターフェースのうちの他のインターフェースは含まず、各メッセージは、照明システムによって受信される場合及び／又は実行される場合、照明システムから制御デバイスに、フィードバックを引き起こす。
【００２３】
実施形態では、当該方法は更に、本明細書に開示されるデバイス又はシステム特徴の何れかに従うステップを含んでよい。
【００２４】
１つ以上のネットワークを含む通信システムを介して、少なくとも１つの照明デバイスを含む照明システムを制御するためのコンピュータプログラムが提供される。コンピュータプログラムは、１つ以上のコンピュータ可読記憶媒体（例えばＣＤ、ハードディスク、メモリスティック又はサーバからのダウンロードに利用可能にされる）に具体化され、制御デバイス上で実行された場合に、複数の異なる経路それぞれを介して、照明システムに、各メッセージを送信する動作と、メッセージのうちの１つ以上によって生成されるフィードバックを受信する動作と、フィードバックに依存して、経路を比較する動作と、比較に基づいて、照明システムを制御するために、インターフェースのうちのどれを使用して、照明システムに後続の照明制御コマンドを送信するのかを選択する動作とを行うコードを含み、各経路は、通信システムの異なる対応するインターフェースを含むが、インターフェースのうちの他のインターフェースは含まず、各メッセージは、照明システムによって受信される場合及び／又は実行される場合、照明システムから制御デバイスに、フィードバックを引き起こす。
【００２５】
実施形態では、コンピュータプログラムは更に、本明細書に開示されるデバイス特徴の何れかに従う動作を行ってもよい。
【００２６】
更に、上記態様は、照明システムから制御デバイス（例えばユーザ端末）にフィードバックを提供するが、もう１つの可能性は、照明システムが、代わりに又は更に、制御デバイスからフィードバックを受信し、このフィードバックを使用して、どの経路を使用して、制御デバイスへともう１つの方向においてメッセージを送信するかを選択することである。
【００２７】
したがって、本開示の更に別の態様によれば、少なくとも１つの照明デバイスを含む照明システムが提供される。照明システムは、１つ以上のネットワークを含む通信システムを介して、制御デバイスによって制御され、照明システムは、複数の送信器それぞれを使用して、各メッセージを、異なる対応する経路を介して、制御デバイスに送信するコントローラを含む。各経路は、通信システムと制御デバイスとの間の複数のインターフェースのうちの異なる対応する１つのインターフェースを含むが、インターフェースのうちのその他のインターフェースは含まない。各メッセージは、制御デバイスによって受信される場合、制御デバイスから照明システムに、フィードバックを引き起こし、コントローラは、フィードバックに依存して、経路を比較し、この比較に基づいて、インターフェースのうちどれを使用して、制御デバイスに後続のメッセージを送信するのかを選択する。
【００２８】
照明システムの観点から行われる対応する方法及び照明システムを操作する対応するコンピュータプログラムも提供される。実施形態では、照明システムから制御デバイス（例えばユーザ端末）へのフィードバックに関連して説明されるフィードバック特徴の何れも、制御デバイスから照明システムへのもう１つの方向におけるフィードバックに関連して適用されてよい。
【図面の簡単な説明】
【００２９】
本開示の理解に役立つように、また、実施形態を実施する方法を示すために、例として、添付図面を参照する。
【００３０】
【図１】図１は、ネットワーク照明システムを含むシステムの概略図である。
【図２】図２は、照明システムを遠隔制御するコントローラデバイスの概略図である。
【発明を実施するための形態】
【００３１】
以下は、制御コマンドが、複数のチャネルを使用して、制御デバイス（例えばスマートホン）から照明システムに送信され、照明システムが、制御デバイスにフィードバックを提供する技術について開示する。このフィードバックは、例えばタイミング情報（例えばどのインターフェースが最速か）、エラー率（例えばどのインターフェースが、ドロップしたパケットが最も少ないか）等に関する。フィードバックは、次に、制御デバイスによって使用され、どの（ワイヤレス）インターフェースを使用するのか、例えばどのインターフェースが、状況を所与として、最適であるかが決定される。
【００３２】
更に、初期通信（例えばハンドシェイクプロトコル）の一部として、インターフェースのうちの１つ以上が、利用可能なインターフェースに関する情報を提供する。これは、例えばバージョン情報を含む。
【００３３】
このようなシステムの利点は、多種多様な制御デバイスに適するように、複数の経路が利用可能であり、最適な経路が選択可能である点である。一例として、スマートフォンが、Ｗｉ−Ｆｉ（登録商標）を介して、照明システムと通信を開始し、当該システムは、ジグビー（登録商標）を介してもインターフェースすることができることを決定する。スマートフォンがサポートするプロトコルのバージョンＸが利用可能であることが決定される。この場合、コマンドが、Ｗｉ−Ｆｉ（登録商標）及びジグビー（登録商標）の両方を介して送信され、その後、照明システムからフィードバックが受信される。フィードバックに基づいて、将来の通信のためのインターフェース（Ｗｉ−Ｆｉ（登録商標）又はジグビー（登録商標））が選択される。
【００３４】
図１は、環境８内に設置又は他の態様で配置される照明システム１９を含むシステム９０の図を示す。環境８は、１つ以上の部屋、建物のホール及び／若しくは廊下といった屋内環境、庭若しくは公園といった屋外環境、並びに／又は、ガゼボ、ポーチ若しくはスタジアムといった部分的に覆われている環境、又は、例えばキャンパス又はショッピングモールの建物及び／若しくは屋外空間であるこれらの任意の組み合わせを含んでよい。例として、本明細書に開示される技術は、オープンプランオフィス、セルオフィス、ミーティングルーム、会議室、ホテル客室及び他の接待／歓待応用、医者のオフィス、待合室、倉庫及び様々な他の屋内又は屋外応用におけるインテリジェント照明システムに適用されてよい。更に、開示される技術の実施態様は、「そのままで販売」可能である特徴であるだけでなく、例えばミーティングルーム、ホテル客室、レストラン、店舗、ホテル、ミュージアム、病院、公共環境、イベント、展示会、公共交通機関及び産業環境である幾つかのサービスビジネスモデルにおける制御のための構成要素も提供する。
【００３５】
照明システム１９は、環境８を照らす１つ以上の照明器具の形の１つ以上の照明デバイス１を含む。照明デバイス１は、例えば１つ以上の天井若しくは壁に取り付けられて、環境８内に固定して設置されるか、及び／又は、照明デバイス１は、独立ユニットを含んでもよい。以下は、３つの照明デバイス１ａ、１ｂ、１ｃが１つの部屋８の中に設置されている例示的な例に関して説明するが、当然ながら、説明される技術は、他の環境における他の数のデバイスにも適用される。例えば、このような技術は、家庭環境においてネットワークに接続された１つのランプといったように、他のあまり複雑ではないシステムに関連しても使用される。
【００３６】
部屋８又は他の環境は、少なくとも時々、ユーザ５によって、また、潜在的には、一人以上の他の占有者６によって、同時に及び／又は異なる時間に占有される。照明システム１９は、ユーザ５のユーザ端末３（例えばスマートフォン、タブレット又はラップトップコンピュータといったモバイルユーザ端末）上で実行されるアプリケーション９５から制御される。したがって、ユーザ端末３のコントローラ機能９５は、ユーザ端末３の１つ以上の記憶媒体上に記憶され、ユーザ端末３の１つ以上のプロセッサの実行のために構成されたソフトウェアで実施される（しかし、或いは、他の実施形態では、この機能のハードウェア実施態様や、ハードウェア及びソフトウェアの組み合わせも排除されない）。コントローラアプリケーション９５は、ユーザ端末３上で実行される場合、ユーザ５に、例えばタッチスクリーンであるユーザ端末３の１つ以上のＩ／Ｏモジュールを介して、ユーザインターフェースを提示する。具体的に、ユーザインターフェースは、ユーザ５に、１つ以上のユーザ操作可能な制御部を提供する。ユーザ５は、これらの制御部を介して、例えば光源１若しくは特定の照明デバイスをオン若しくはオフに切り替えるか、光源１を調光し又は特定の照明デバイスを増光若しくは減光するか、又は、放出される光の色を変更するために、照明システム１９の照明デバイス１ａ、１ｂ、１ｃのうちの１つ以上によって放射される光を制御することができる。
【００３７】
このようなユーザ入力に反応して、照明制御アプリケーション９５は、当該照明制御アプリケーション９５が、ユーザ端末３から照明システム１９に送信する１つ以上の対応する照明制御コマンドを生成する。具体的に、照明システム１９は、光源１を制御する少なくとも１つの受信側制御ユニット１３を含み、ユーザ端末３上のアプリケーションは、１つ以上の照明制御コマンドを、照明システムの照明制御ユニット１３に送信する。照明システムの制御ユニット１３は、コマンドを実行して、関連の照明制御機能（例えば点灯若しくは消灯、増光若しくは減光、又は、色の変更）を行う。
【００３８】
制御ユニット１３は、１つ以上の記憶媒体に記憶され、１つ以上のプロセッサ上で実行されるように構成されるソフトウェアで実施されるか、又は代わりに、ハードウェア、若しくは、ハードウェア及びソフトウェアの組み合わせで実施されてよい。制御ユニット１３は、集中型のユニットであっても、分散様式で実施されてもよい。（図示される）実施形態では、ゲートウェイ１０が、受信側制御ユニット１３と照明デバイス１ａ、１ｂ、１ｃとの間に接続される。制御ユニット１３は、ゲートウェイ１０に接続され、ゲートウェイ１０は、照明デバイス１ａ、１ｂ、１ｃに、照明バス又は相互接続部１５等を介して接続される。ゲートウェイ１０は、照明バス又は相互接続部１５を介した照明デバイス１ａ、１ｂ、１ｃとの通信のために、１つ以上のネットワーク通信プロトコルと、照明システム１９の照明制御プロトコルとの間で変換を行う。この場合、制御ユニット１３は、ネットワーク通信プロトコルでのコマンドを受信し、これに反応して、ネットワーク通信プロトコルを使用して対応する命令を発行し、それらを、照明プロトコルに変換されるようにゲートウェイ１０を介して送信することによって、照明デバイス１ａ、１ｂ、１ｃに指示する。例えば制御ユニット１３は、環境８のローカルエリアネットワーク２０上のサーバ又は他のユニット上に実施される。或いは、制御ユニット１３は、ゲートウェイ１０の照明デバイス１側に実施されてもよく、（図示されるものとは異なり）照明バス又は相互接続部１５に直接接続してもよい。この場合、制御ユニット１３は、ネットワーク通信プロトコルでコマンドを受信するが、照明デバイス１ａ、１ｂ、１ｃへの対応する命令を、照明プロトコルを使用して、バス又は相互接続部１５を介して直接発行する。
【００３９】
なお、本明細書において使用される場合、「コマンド」との用語は、照明システムの受信側制御ユニット１３が、照明制御コマンドを、無条件に実行することを必ずしも意味するわけではないし、この制御ユニット１３が、ユーザ端末３上のプリケーション９５に対してスレーブであることを必ずしも意味するわけではない。実施態様に応じて、コマンドに関連付けられる照明機能の実行は、実際には、照明システム１９の制御ユニット１３によって適用される１つ以上の基準を条件とする。例えば制御ユニット１３は、ユーザ５が照明デバイス１を制御する権限を与えられていることを検証するためのユーザ５の認証を担い、この認証を条件として、コマンドを実行する。別の例として、制御ユニット１３は、複数の異なるユーザ５、６の端末からのコンフリクトする可能性のあるコマンド間の仲裁を担ってもよい。
【００４０】
なお、幾つかの実施形態では、ユーザ端末３は、環境８における光源１ａ、１ｂ、１ｃの制御が許可されるためには、当該環境８内にあることが求められる。例えばこの条件は、屋内ロケーションネットワークに基づいて又はＧＰＳといった衛星ベースの測位システムに基づいて評価される。或いは、環境８における光源１ａ、１ｂ、１ｃが、環境８外の場所９９から、ユーザ端末によって制御可能であることが許可されてもよい。又は、特定の権限を与えられたユーザだけが、外側から光源を制御することが許可されてもよい。以下は、制御される照明デバイス１ａ、１ｂ、１ｃと同じ環境（例えば同じ部屋）８内のユーザ５及びユーザ端末３について説明されるが、当然ながら、これは、すべての可能な実施形態において限定されるものではない。
【００４１】
ユーザ端末３上の照明制御アプリケーション９５から、照明制御ユニット１３への照明制御コマンドの送信を行うための可能な経路は多数ある。
【００４２】
図２に示されるように、ユーザ端末３は、複数の送信器４を含み、各送信器は、システム９０の異なる対応する通信インターフェースにアクセスするためのものである。実施形態において、これらのうちの幾つか又はすべては、異なる対応するワイヤレスインターフェースに送信するワイヤレス送信器である。コントローラアプリケーション９５は、これらの送信器４のそれぞれを使用して、異なる対応する経路を介して、照明システム１９に送信するように動作可能である。各経路は、対応するインターフェースを含む。実施形態では、送信器４のうちの１つ、幾つか又はすべては、実際には、対応するインターフェースを介して送受信する送受信器であり、コントローラアプリケーション９５は更に、これらの送受信器それぞれを使用して、対応するインターフェースを介して照明システム１９から戻る情報を受信するように（例えば簡単に説明したフィードバックを受信するように）動作可能である。しかし、代替実施形態では、フィードバックが、対応する送信とは別箇の経路によって受信されることも排除されない。したがって、以下は、送受信器４について説明されるが、当然ながら、これは、すべての可能な実施形態において限定されるものではない。
【００４３】
なお、幾つかの実施形態では、送受信器４の幾つか又はすべては、それらのハードウェアリソース（例えばアンテナ及び／又は電力増幅器等）の一部又はすべてを共有するが、異なる通信プロトコルを使用するという点で区別できる。或いは、送受信器４の幾つか又はすべては、異なるハードウェアリソース（例えば異なるアンテナ及び／又は電力増幅器等）を含んでもよい。
【００４４】
次に、様々な可能なインターフェース及び対応する経路の幾つかの例について説明する。当然ながら、これらは例に過ぎない。例えば図２は、システム９０の５つの異なるインターフェースと通信するための５つの異なる送受信器を有するユーザ端末３を示すが、これは例示に過ぎず、実際には、任意の所与のユーザ端末３は、これらの送受信器のうちの任意の２つ以上の送受信器及び／又は他のタイプのインターフェースと通信するための他のタイプの送受信器が具備されてよい。
【００４５】
実施形態では、送受信器のうちの１つの送受信器４ａは、ブルートゥース（登録商標）といったローカル（近距離）ＲＦ技術に従って通信する。例えば部屋８には、照明システム１９のゲートウェイ１０に結合される対応するブルートゥース（登録商標）インターフェース７ａを含む壁パネル２が具備される。この場合、コントローラアプリケーション９５は、照明制御コマンドを、照明システムの制御ユニット１３に、壁パネル２内のブルートゥース（登録商標）インターフェース７ａ及びゲートウェイ１０を介して送信するオプションを有する。
【００４６】
別の例として、送受信器のうちの１つの送受信器４ｂは、近距離無線通信（ＮＦＣ）技術に従って通信する。例えばこの送受信器は、ユーザ５が、環境８内に設置される（ブルートゥース（登録商標）インターフェース７ａと同じであっても違うパネルであってもよい）壁パネル２内の対応するＮＦＣインターフェース７ｂに対して、その端末３をスワイプすると、当該ＮＦＣインターフェース７ｂと通信可能であるＲＦタグ（時にＲＦＩＤタグとも呼ばれる）の形を取る。この場合、ＮＦＣインターフェース７ｂは、照明システム１９のゲートウェイ１０に結合され、コントローラアプリケーション９５は、照明制御コマンドを、照明システムの制御ユニット１３に、ＮＦＣインターフェース７ｂ及びゲートウェイ１０を介して送信するオプションを有する。
【００４７】
別の例として、システム９０は、Ｗｉ−Ｆｉ（登録商標）アクセスポイント１６の形の別のローカル（短距離）ＲＦインターフェースを含み、ユーザ端末３の送受信器４のうちの１つの送受信器は、対応するＷｉ−Ｆｉ（登録商標）送受信器４ｃを含む。例えばＷｉ−Ｆｉ（登録商標）アクセスポイント１６は、ゲートウェイ１０に接続される及び／又はイーサネット（登録商標）接続といった接続１４を介して照明システムの制御ユニット１３に直接接続されるルータ１２の一部として実現されてよい。この場合、コントローラアプリケーション９５は、照明制御コマンドを、照明システムの制御ユニット１３に、Ｗｉ−Ｆｉ（登録商標）アクセルポイント１６、ルータ１２及びゲートウェイ１０を介して、又は、Ｗｉ−Ｆｉ（登録商標）アクセスポイント１６を介して、次に、ルータ１２から、イーサネット（登録商標）接続１４（等）を介して制御ユニット１３に直接送信するオプションを有する。
【００４８】
別の例として、照明デバイス１ａ、１ｂ、１ｃのうちの１つ、幾つか又はすべては、それぞれ、ジグビー（登録商標）インターフェース１７の形の更に別のローカル（近距離）ＲＦインターフェースが具備され、また、ユーザ端末３の送受信器４のうちの１つの送受信器は、対応するジグビー（登録商標）送受信器４ｄを含む。この場合、コントローラアプリケーション９５は、照明制御コマンドを、照明システムの制御ユニット１３に、ジグビー（登録商標）インターフェース１７、照明バス／相互接続部１５及びゲートウェイ１０を介して送信するオプションを有する（実際には、照明信号は、照明デバイス１に直接送信されるが、コマンドが実行されるべきかどうかを確認するために（例えば認証又は仲裁の目的を確認するために）、照明システムの制御ユニット１３に判断を任せる）。
【００４９】
更に別の例として、送受信器のうちの１つの送受信器４ｅは、モバイルセルラネットワーク５０の基地局５１（基地局は、３ＧＰＰ技術では、時にノードＢとも呼ばれる）の形のインターフェースを介して、３ＧＰＰネットワーク（３Ｇ又は４Ｇ）といった（ワイドエリア）モバイルセルラネットワークにアクセスするセルラ送受信器であってよい。例えばモバイルセルラネットワークは、インターネットといったワイドエリア公共相互ネットワークに接続し、当該ワイドエリア公共相互ネットワークは、次に、環境８のローカルネットワーク２０のインターネットゲートウェイ３０と、会社のＩＴ構造（例えば環境８がオフィスである場合）とを介して、当該ローカルネットワーク２０に接続する。更に、ルータ１２（Ｗｉ−Ｆｉ（登録商標）アクセスポイントを含むルータと同じであっても異なってもよい）が、制御ユニット１３をローカルネットワーク２０に接続する。この場合、コントローラアプリケーション９５は、照明制御コマンドを、照明システムの制御ユニット１３に、セルラ基地局５１、モバイルセルラネットワーク３０、公共ネットワーク４０、インターネットゲートウェイ３１、会社のインフラ３０、ローカルネットワーク２０及びルータ１２（また、実施形態では、イーサネット（登録商標）接続１４を介するルータ１２と制御ユニット１３との間のゲートウェイ１０）を介して送信するオプションを有する。
【００５０】
代わりに又は更に、図１の要素５０は、セルラプロバイダ以外のインターネットプロバイダを表し、要素５１は、ゲートウェイ１０又は照明システムの制御ユニット１３に直接接続されていないワイヤレスルータを表してもよい。例えば、これは、Ｗｉ−Ｆｉ（登録商標）送受信器４ｃを使用してアクセスされる別のＷｉ−Ｆｉ（登録商標）アクセスポイントを含むルータであってよい。
【００５１】
上記に例示された様々な可能性を前提とすると、当然ながら、ユーザ端末３上のコントローラアプリケーション９５が、照明制御コマンドを、照明システム１９に送信できる様々な可能な経路がある。各経路は、異なる（ワイヤレス）インターフェースを含む。
【００５２】
しかし、実際の実施態様では、ネットワークの不安定度、ネットワークダウン期間、ネットワークコンフリクト、ネットワークメンテナンス、ネットワーク遅延、ネットワークレーテンシー、タイミングエラー、ファイヤウォールコンフリクト、損傷又は破損部分、設置エラー、デザインエラー、ハードウェアエラー、ソフトウェアバグ、又は、ユーザが待ちきれずに送信することで、一連のコマンドが、ネットワークレーテンシー、考え違い等によってバッファリングされることによって意図的にではなく引き起こされるエラーといった様々なネットワーク問題によって問題が生じることがある。
【００５３】
上記したようなネットワーク問題があったとしても、部屋８の中のユーザ５、６が、何の苦労もなく、又は、少なくとも少ない量の苦労で、部屋の中の照明システム１９を制御できることが望ましい。
【００５４】
モバイルデバイスベースのアプリから照明システム１９を制御する現在の方法は、大抵の場合では、ワイヤレス通信又はセルラモバイルフォン規格のＩＥＥＥ８０２．１１「Ｗｉ−Ｆｉ（登録商標）」規格を使用するワイヤレス接続を介したモバイルデバイス３からの接続に依存し、これは、モバイルデバイス３の他の機能と干渉しないように、アクティブのままでなければならない。
【００５５】
しかし、上記したようなネットワーク問題によって、照明システム１９を制御するのに最も適した経路が、常に利用可能であるとは限らない。一例として、制御デバイスの好適なネットワーク経路を介して（例えばセルラネットワーク５０といった個人の公共ネットワークを介して）、照明システム１９を制御することが好適である場合に、時に、この公共ネットワークから照明システム１９へのアクセスがブロックされることがある。このような状況では、モバイルデバイス３は、ローカルネットワークに切り替えなければならない。これは、モバイルデバイス３（例えばスマートフォン）の能力を低減させることになる。この理由から、ローカルネットワークへの切替えが、実際には、現在、照明システム１９を制御するための実際の要件ではない場合に、ローカルネットワークに切り替えないことが好適な場合がある。好適には、制御デバイス３（例えばスマートフォン）は、最初に、その個人の（公共）ネットワークプロバイダ（例えばセルラプロバイダ）を介して、照明デバイスを制御することを試み、利用可能である思われる場合に、この方法を選択する。
【００５６】
以下の実施形態は、特定の部屋８等にいるユーザ５、６が、様々なネットワーク接続された光源１ａ、１ｂ、１ｃ及び／又は特定の部屋８内の照明システム１９によって制御されてよい他の照明デバイス（例えばビーマー、シェード等）を、高速で、面倒なことがなく、また、使い勝手が良く制御することを可能にする一方で、同時に、生じうるすべての種類のネットワーク問題を探し出し及び追跡する。
【００５７】
上記されたように、システム９０は、Ｗｉ−Ｆｉ（登録商標）、ブルートゥース（登録商標）、ジグビー（登録商標）、ＩＲ及び／又はＮＦＣといったワイヤレス通信方法によって制御可能である照明システム１９を含む。システム９０は更に、１つ以上のワイヤレス制御される光点１ａ、１ｂ、１ｃと直接に通信するゲートウェイ１０を含み、更に、固定された壁パネル２とゲートウェイ１０との間のワイヤレス接続７ａ、７ｂを介してシステムを制御する当該壁パネル２を含んでよい。実施態様に応じて、システム９０は、壁パネル２とモバイルデバイス３との間の通信、及び／又は、モバイルデバイス３とゲートウェイ１０との間の直接通信の可能性をサポートする。
【００５８】
実施形態では、システム９０は、部屋８の中のローカルゲートウェイ１０が、照明システムの制御ユニット１３に接続するといったようにスタガードインフラを含んでよく、これは、ゲートウェイ１０へのローカルＷｉ−Ｆｉ（登録商標）インターフェース１６又は部屋８の中で利用可能にされるブルートゥース（登録商標）、ジグビー（登録商標）、ＩＲ及び／若しくはＮＦＣといった任意の他の通信プロトコルを介して利用可能にされる。インフラの高位レベルは、特定のローカルゲートウェイ１０を制御ユニット１３に関連付け、これを、特定のアクセスプロトコルを有するインフラの高位レベル２０、３０、４０において利用可能及び／又は認識可能であるようにし、特定のローカル制御ゲートウェイ１０への適切なアクセスを確実にする。
【００５９】
したがって、システム９０は、部屋８の中のユーザ５、６のモバイルデバイス３を照明システム１９に接続する様々な方法を提供する。
【００６０】
本開示の実施形態によれば、ユーザ端末３によって出された所望のユーザ制御コマンドが、実際に照明システムの制御ユニット１３に到着し、実行されたかどうかに関する検証を可能にするために、照明システム９０に実装されるプロトコルが提供される。当該プロトコルは、経路及びタイミング情報といったフィードバックを提供する１つ以上のフィードバックループを実現し、これにより、ユーザ制御デバイス（ユーザ端末３）は、特定の部屋８の中の光源１ａ、１ｂ、１ｃを制御するのに最も好都合な経路を選択し、必要に応じて、この情報から、適切なユーザ制御メニュを導出することができる。
【００６１】
ユーザ端末３は、次に限定されないが、Ｗｉ−Ｆｉ（登録商標）、ジグビー（登録商標）、Ｚ−Ｗａｖｅ、ＪｅｎＮｅｔ−ＩＰ等といった様々な接続経路で、照明システム１９に向けて、光制御コマンドを「出す」（送信する）。照明システム１９は、ユーザ制御デバイス３によって出されたこのような光制御コマンドを、様々な可能なネットワーク経路を介して受信するが、幾つかのコマンドは、他のコマンドよりもゆっくりと到着するか、又は、全く到着しない場合がある。
【００６２】
このような問題に対処するために、ユーザ端末３上のコントローラアプリケーション９５は、送信するコマンド内に、ユーザ端末３のネットワークアドレスと、対応する送信のインターフェース７ａ、７ｂ、１６、１７、５１の識別情報とを含める。この情報は、次に、照明システム１９の制御ユニット１３によって使用され、ユーザ制御デバイス３に戻す特定のコマンドストリングの適切な受信を確認する。代わりに又は更に、照明システム１９の制御ユニット１３は、送信の品質について、当該制御ユニット１３が収集可能である、例えばエラー率及び／又は到着時間である情報をフィードバックしてもよい。例えば一実施形態では、照明システム１９は、到着の確認を、照明システムの制御ユニット１３によって特定の制御コマンドが受信された瞬間の時間情報と共に、ユーザ端末３にフィードバックする。
【００６３】
ユーザ端末３上で実行されるアプレット９５は、照明システム１９によって提出されて戻された任意のフィードバック情報を受信し、この情報を使用して、将来の制御コマンドを照明システム１９に提出するための最も好都合な経路を導出する。つまり、コントローラアプリケーション９５は、フィードバックに依存して、２つ以上の経路を比較する。このフィードバックに依存した比較は、次の２つの可能性のうちの一方又は両方を対象とする。即ち、（ｉ）フィードバックは、両方又はすべての経路で成功裏に受信され、フィードバック内に提供される情報が（例えばタイミング情報及び／又はエラー率を比較するために）比較される、及び／又は、（ｉｉ）フィードバックは、経路のうちの１つ又は幾つかの経路で受信されず、このフィードバックの欠落は、当該経路が、フィードバックが成功裏に受信された経路よりも劣るという事実を示す。
【００６４】
実施形態では、上記されたように、初期通信（例えばハンドシェイクプロトコル）の一部として、インターフェース７ａ、７ｂ、１６、１７、５１のうちの１つ以上は、追加的に、利用可能であるインターフェース（自分自身又は他のインターフェースの１つ以上）に関する情報を提供する。例えば、これは、インターフェースのうちの１つが、その自身の利用可能性を広告すること、その自身の能力に関する情報を提供すること（例えばバージョン情報を提供すること）、他のインターフェースのうちの１つ以上のインターフェースの利用可能性を広告すること、又は、インターフェースのうちの１つ以上の他のインターフェースの能力に関する情報（例えばバージョン情報）を提供することを含む。インターフェースの利用可能性に関するこのような情報は、ユーザ端末３上のコントローラアプリケーション９５によって使用され、フィードバックのためにどの経路を探るかが決定される。代わりに又は更に、上記フィードバックに加えて、利用可能性に関する情報及び／又はインターフェースの能力に関する情報の何れか又は両方が、コントローラアプリケーション９５によって使用され、照明システム１９への後続の照明制御コマンドを送信するために、どの経路を選択するかに関する決定が伝えられる。代わりに又は更に、利用可能性に関する情報及び／又はインターフェースの能力に関する情報の何れかが、コントローラアプリケーション９５によって使用され、関連のインターフェースに接続する方法が決定される。例えばジグビー（登録商標）インターフェース１７は、当該インターフェースが任意の他のジグビー（登録商標）デバイスへの接続を有するかどうかに関する情報を提供し、この情報が使用されて、照明システム１９へのジグビー（登録商標）を介する経路があるかどうか、及び／又は、可能な経路が複数あるかどうかが決定される。次に、ユーザ端末３上のコントローラアプリケーション９５は、この情報を使用して、上記経路を、当該コントローラアプリケーションがフィードバックを要求する経路に含めるかどうかを決定する。別の例として、Ｗｉ−Ｆｉ（登録商標）インターフェース１６は、当該インターフェースが提供可能である接続速度に関する情報を提供し、この情報は、コントローラアプリケーション９５によって使用され、照明制御コマンドを送信するために、Ｗｉ−Ｆｉ（登録商標）インターフェース１６を使用することを選択するかどうかに関する決定が更に伝えられる。
【００６５】
代わりに又は更に、ユーザ端末３は、自分自身のインターフェース能力に関する情報を、照明システム１９の制御ユニット１３に提供してもよい。及び／又は、照明システムの制御ユニット１３が、自分自身のインターフェース能力に関する情報を、ユーザ端末３に提供してもよい。この場合、この情報が使用されて、ユーザ端末３が照明システム１９に接続する方法が決定される。及び／又は、この情報は、コントローラアプリケーション９５によって使用され、フィードバックのためにどの経路を探るかが決定され、及び／又は、（上記フィードバックに加えて）照明システム１９に後続の照明制御コマンドを送信するためにどの経路を選択するかに関する決定が更に伝えられる。例えば生じるハンドシェイクプロトコル中、インターフェース７ａ、７ｂ、１６、１７、５１とユーザ端末３は、それらの様々なインターフェース能力を交換し、制御ユニット１３及び／又はコントローラアプリケーション９５は、最も好都合なプロトコルを導出し、この情報を、部屋８の特定の照明システム１９と通信する際（例えば後続の制御コマンドを送信する際）に、ユーザ端末３による将来の使用のために記憶する。例えばユーザ端末３は、その最新のステータス変更情報（例えばソフトウェアの更新）を照明システム１９に提供しても、又は、照明システム１９が、その最新のステータス変更情報（例えば照明システム１９の一部が変更された最後の時間）をユーザ端末３に提供してもよい。
【００６６】
更に、実施形態では、照明システム１９は、例えば後続の照明制御コマンドを送信するためにどのインターフェース７ａ、７ｂ、１６、１７、５１が選択されたか、選択されたインターフェースの能力及び／又は照明システム１９の能力といった上記要素のうちの１つ以上に依存して、ユーザ端末３、壁パネル２及び／又は部屋８内の他のユーザ６の他のユーザ制御デバイス３に代替のユーザ制御特徴を提供してもよい。例えば様々なインターフェース７ａ、７ｂ、１６、１７、５１を介する制御は、多少異なる特性又は能力を有し、ユーザインターフェースに対する幾つかの適合が、これを反映するために適切である場合がある。
【００６７】
更なる実施形態では、期待されるフィードバックコマンドが受信されなかったことによってタイムアウトエラーが生じた後、ユーザ端末３上のアプリケーション９５は、照明デバイス１ａ、１ｂ、１ｃ等が適切に調節されているかどうかに関して、ユーザ５から手動のフィードバックを求めてもよい。
【００６８】
なお、上記は、照明を制御するために、照明システム１９に実際に作用する実際の照明制御コマンドに応えたフィードバックの受信に関して説明されている。例えばユーザ５が、調光レベルの増加を命令するユーザ入力を行うと、同じコマンドのインスタンスが、照明システムの制御ユニット１３への様々な経路を介して送信され、コマンドのこれらのインスタンスそれぞれは（成功裏に受信及び／又は実行された場合に）、光源を制御するというそれらの主機能に加えて、各自の経路に関するフィードバックを引き起こす。したがって、照明制御コマンドの送信は、フィードバックを取得する機会として、追加的に利用される。
【００６９】
実施形態では、１つ又は１つ以上の複製コマンドの作用が絶対的に規定される場合、当該１つ又は１つ以上の複製コマンドは、照明の制御に関して、何ら問題となることはない。例えばコマンドは、調光レベルを最大値の８０％に設定することであるとすると、コマンドの複製インスタンスは、単に、照明システム１９に、当該コマンドの最初に受信したインスタンスによって既にもたらされているレベルと同じレベルに留まることを伝える。或いは、相対的に規定されなければ、１つ以上の複製インスタンスが、不所望の累積作用（例えば現在のレベルの１０％だけ調光レベルを増加させる）を有するため、コマンドは、相対的に規定されてもよい。この場合、不所望の累積作用を阻止するために、あるメカニズムが実現されてよい。例えばユーザ端末３のコントローラ９５は、複製インスタンスに、一意のタグをタグ付けしてもよい（同じコマンドの各インスタンスは同じタグ値を有し、異なるコマンドは、異なるタグ値を有する）。照明システム１９の制御ユニット１３は、１つ以上の複製インスタンスを認識し、これらの複製インスタンスを実行しないように構成される。
【００７０】
しかし、すべての可能な実施形態において、フィードバックのための様々な経路を探るために使用されるメッセージが、実際の照明制御コマンドであることは必要不可欠なわけではない。或いは、これらのメッセージは、例えば専用プローブメッセージであっても、又は、照明システム１９から他の情報（例えば動作温度、燃焼時間等）を要求するステータスリクエストといった他のメッセージであってもよい。これらの情報は、経路に関するフィードバックを引き起こすために、追加的に使用される。
【００７１】
本開示の別の代替又は追加の態様によれば、同様のフィードバックが、ユーザ端末３によって、照明システム１９に提供され、これにより、照明システム１９は、ユーザ端末３との適切な通信を検証し、また、照明システム１９は、ユーザ制御デバイス３へのその様々なインターフェース可能性をテストし、メッセージをユーザ端末に送信するのに最も好都合な経路を選択することができる。
【００７２】
ユーザデバイス３から照明システム１９への別のネットワーク経路の方が、照明システム１９からユーザ端末３へのネットワーク経路よりも最適である場合があるので、照明システム１９は、ユーザ端末３によって選択された照明システム１９への通信経路ではなく、ユーザ端末３への別の通信経路を選択してもよい。
【００７３】
更に、上記は、光を放出する照明デバイスを含む照明システム及び放出される光を制御する照明制御コマンドに関連して説明されたが、上記教示内容は、代わりに又は更に、１つ以上の窓処理（例えば電子制御されるブラインド）、他の日光ハーベスティングデバイス（例えばヘリオスタット）及び／又は１つ以上のＨＶＡＣデバイス（暖房、換気及び／又は空調）といった１つ以上の他のタイプの環境制御デバイスを含む他のタイプの環境制御システムに関連して適用されてもよい。したがって、本明細書において、照明システム、照明デバイス及び照明制御に関連して特徴が説明される箇所において、任意のそのような特徴は、それぞれ、光を制御する及び／若しくは他の環境機能を制御するために、１つ以上の照明デバイス及び／若しくは環境制御デバイス（例えばＨＶＡＣデバイス）を含む照明システム並びに／又は環境制御システムを含む任意のシステムに等しく適用される。
【００７４】
当然ながら、上記実施形態は、例として説明されたに過ぎない。開示された実施形態の他の変形態様は、図面、開示内容及び添付の請求項の検討から、請求項に係る発明を実施する当業者によって理解され、実施される。請求項において、「含む」との用語は、他の要素又はステップを排除するものではなく、また、「ａ」又は「ａｎ」との不定冠詞も、複数形を排除するものではない。単一のプロセッサ又は他のユニットが、請求項に記載される幾つかのアイテムの機能を果たしてもよい。特定の手段が相互に異なる従属請求項に記載されることだけで、これらの手段の組み合わせを有利に使用することができないことを示すものではない。コンピュータプログラムは、他のハードウェアと共に又はその一部として供給される光学記憶媒体又は固体媒体といった適切な媒体上に記憶及び／又は分散されてもよいが、インターネット又は他の有線若しくは無線通信システムを介するといった他の形式で分配されてもよい。請求項における任意の参照符号は、範囲を限定するものと解釈されるべきではない。
【図１】
0006368050.tif 000002
【図２】
0006368050.tif 000003